(57)【特許請求の範囲】
【請求項１】
横向き有底円筒体の水平中心軸に直交する断面に十字状に各軸心が交差配設される各一対の通常流路と制御流路とが形成されたバルブ本体と、該バルブ本体の底壁外面に前記水平中心軸に沿って突設された回転軸と、前記制御流路の一方ではバルブ本体の内面側に該制御流路と同心状に凹設される駒座と、制御流路の他方では該駒座の外径より僅かに大径である大径制御流路と前記駒座に内設される制水駒とから成り、該制水駒が、制御流路の中心を通る直径上に対称に蝶羽根を設けた制水盤と、該制水盤に重畳されて前記蝶羽根間に露出される盤面内の中心に点対称状に通水孔を開口した通水盤とから成る弁体。
【請求項２】
ケーシングの入水口には水栓の口端に接合される接合金具が螺合され出水口には吐出金具が螺合され、該入水口と出水口間に形成される通水室に弁体を内在させて流量を調節し、前記吐出金具に網状の流速緩和体を設けて成る流量制御弁において、
前記弁体が、請求項１記載の弁体から成り、該弁体の回転軸に90°の回転端で位置決めされる把手が軸着されて成り、通常流路からの通常吐水と、制御流路からの制御吐水とが切換えで得られることを特徴とする流量制御弁。
【発明の詳細な説明】
【技術分野】
【０００１】
本発明は、同一断面内で十字状に流路を配設した弁体と、該弁体を用いて弁体の回転により瞬時に流路の切換えができる流量制御弁に関する。
【背景技術】
【０００２】
本願出願人は、特開２００６−７７４０４号公報（特許文献１）において、水栓の口端に接合された１個の制水駒によって多様の流量制御に対応できる流量制御弁を提案した。該特許文献１の技術は一般家庭向けの節水上の流量制御ではその目的を達成できるが、多量の水を使用する通常吐水と流量が所要に制限される流量調節吐水との両者が要求される厨房や医療関係の衛生設備の分野では不向きという問題があった。
【特許文献１】特開２００６−７７４０４号公報
【発明の開示】
【発明が解決しようとする課題】
【０００３】
本発明は、通常吐水と制水駒による流量調節吐水とが瞬時に切換え使用される弁体と、該弁体を用いた流量制御弁を提供する。
【課題を解決するための手段】
【０００４】
本発明の請求項１に記載した弁体は、横向き有底円筒体の水平中心軸に直交する断面に十字状に各軸心が交差配設される各一対の通常流路と制御流路とが形成されたバルブ本体と、該バルブ本体の一側端の底壁外面に前記水平中心軸に沿って突設される回転軸と、前記制御流路の一方でバルブ本体の内面側に該制御流路と同心状に凹設される駒座と、制御流路の他方が該駒座の外径より僅かに大径である大径制御流路と、前記駒座に内設される制水駒とから成り、該制水駒が、制御流路の中心を通る直径上に対称に蝶羽根を設けた制水盤と、該制水盤に重畳されて前記蝶羽根間に露出される盤面内においてその中心に点対称状に所要形状で所要数の通水孔を開口する通水盤とから成る。
請求項２に記載した流量制御弁は、ケーシングの入水口には水栓の口端に接合される接合金具が螺合され出水口には吐出金具が螺合され、該入水口と出水口間に形成される通水室に弁体を内在させて流量を調節し、前記吐出金具に網状の流速緩和体を設けて成る流量制御弁において、
前記弁体が、請求項１記載の弁体から成り、該弁体の回転軸に任意位置から90°の回転端で位置決めされる把手が軸着されて成り、通常流路からの通常吐水と、制御流路からの流量調節吐水とが切換えで得られることを特徴とする。
【発明の効果】
【０００５】
本発明の弁体は合成樹脂の射出成形体と金属加工による制水駒とから成り量産できるから製造コストが安価となり、該弁体を用いた流量制御弁もケーシングから主要部材まで合成樹脂製で同様に製造コストが安価となる。さらに、通常吐水と制水駒による流量調節吐水とが90°の把手回転によって瞬時に切換えでき、流量調節は制水駒によって多様になされるから節水上極めて有用である。
【発明を実施するための最良の形態】
【０００６】
本発明の弁体及び流量制御弁の主要部材は合成樹脂製の射出成形体から成り、また、弁体の回転軸と把手の軸部との係合は、二面幅の縮径部に対応する係合孔によるものから、角軸やスプライン軸の係合によるものなどが挙げられる。さらに、弁体の通常流路と制御流路とが直交して配設されることから、各流路に対して把手のレバー（位置決め端）をその向きに整列できればよく、その限りにおいては、バルブ押さえに設けたストッパーとハンドルの軸部に設ける突起との関係は、90°の回転規制があればレバーの位置に整列しなくてもよい。
【実施例】
【０００７】
本発明を実施例により説明するに当って、本発明の構成を概略に記すと、図１の弁体Ａと、図２の制水駒３と、図３中の流量制御弁Ｂとバルブ押さえ５と把手６とから成っている。
上記の順にしたがって弁体Ａから説明すると、弁体Ａは次のように成っている。すなわち、横向き有底円筒体の水平中心軸に直交する一断面内に十字状に各軸心が交差配設された各一対の通常流路１aと制御流路１bとで形成されるバルブ本体１と、バルブ本体１の右側端の底壁外面１cに前記水平中心軸に沿って突設される回転軸２と、制御流路１bの一方（下方）でバルブ本体１の内面に設けた座盤１dに制御流路１bと同心状に凹設される駒座１eと、駒座１eに圧入状態で内設される制水駒３とから成る。
制御流路１bの他方（上方）は制水駒３が挿通できる大径制御流路であり、回転軸２は水密性を保持するためのＯリング（後述）を嵌着するＯリング溝２aが周設されその軸端には把手（後述）を係着するための二面幅が縮径された縮径部２bと、その軸心に螺設されたネジ孔２cが設けられる。
【０００８】
制水駒３は図２に示すように、制御流路１bの中心を通る直径上に対称に蝶羽根３aaを設けた制水盤３aと、制水盤３aに重畳された蝶羽根３aaの外側に露出された盤面内においてその中心に点対称状に６個（計１２個）の基準流量が通過できる直径の通水孔３baが開口された通水盤３bとから成る。両者は通水盤３bのネジ座３bbに螺合される調整ネジ３bcによって通水孔３baが蝶羽根３aa外に所要数開口されることとなる。
【０００９】
流量制御弁Ｂは次のように成っている。すなわち、図３に示すようにケーシング４は右方に開口部４aを設け左方の閉塞壁４bの内面にリング状の軸受け部４cを突設する円筒状体で、上部に入水口４dが配設され、下部に出水口４eが整列して配設され、入水口４dと出水口４eとの間に形成される通水室４fには弁体Ａが開口部４aから挿通される。そして弁体Ａのバルブ本体１の左端部内周が軸受け部４cに外嵌される。
【００１０】
上記の挿入された弁体Ａの回転軸２にバルブ押さえ５が次のように装着される。すなわち、バルブ押さえ５の中心の嵌合孔５aを回転軸２に外嵌し、ケーシング４の内周にバルブ押さえ５の軸部５bを嵌挿し、そのフランジ５cがケーシング４のフランジ４gにビス５dでネジ止めされ、回転軸２の外周に周設されたＯリング溝２aに嵌着されたＯリング２dにより回転軸２とバルブ押さえ５の嵌合孔５aとの間の水密性が保たれる。ケーシング４の右端部内周とバルブ押さえ５の軸部５bとの間の水密性は、軸部５bの外周に周設されたＯリング溝５eに嵌着されたＯリング５fによって保たれる。
【００１１】
バルブ押さえ５とケーシング４との位置決め接合は、ケーシング４のフランジ４gの下方に突設した突起４hをバルブ押さえ５のフランジ５cの下方に欠切した溝５gに嵌着してなされる。このとき、図７に示すように、バルブ押さえ５の内面外方寄りで軸心に関して90°範囲で点対称状にストッパー５hが配設される。そして、回転軸２の軸端にはバルブ本体１の何れか一方の流路１a又は１bに沿う向きに二面幅に縮径された縮径部２bが配設されるから、その縮径部２bに外嵌する軸部６aを有する把手６は、外面中心に凹設された凹部６bに開口されたビス孔６cを介して回転軸２のネジ孔２cにビス６dを螺合することによって回転軸２に確実に接合される。凹部６bにはキャップ６eが嵌着されて外面がスマートにされる。
軸部６aの上下に突設された突起６fがストッパー５hに拘束されて把手６の回転姿勢が90°の角度内に規制され、その回転端でケーシング４の入水口４dと出水口４eに対して、弁体Ａの通常流路１aと制御流路１bの何れかが連通されるようになっている。
【００１２】
入水口４dにはフィルター７aがゴム製のシールパッキング７bとともに内嵌され、入水口４dの外周に螺設されるナット７は、パッキング７cを介して水栓の蛇口（図外）に嵌着されるアダプター７dを締結し、出水口４eに螺着される吐出金具８には内部にパッキング８aを介して網状の流速緩和体８bが内設される。
【００１３】
実施例では図５、図６に示すように、流量制御弁Ｂは把手６に一体のレバー６gが水平位置では制水状態で入水口４dと出水口４eとが弁体Ａの制御流路１bに連通される。レバー６gが水平位置から仮想線で示すように上方へ90°右回転された垂直位置では弁体Ａの通常流路１aがケーシング４の入水口４dと出水口４eとに連通される。
制御流路１bにおける制水駒３は、把手６のレバー６gが水平位置で弁体Ａのバルブ本体１の内周面に配設される座盤１dが下側に向けられた状態の駒座１eに内嵌された状態が、出水口４e側で制水することとなり最良とされる。
【００１４】
本発明の流量制御弁Ｂによれば、通常流路１aと制御流路１bとが把手６のレバー６gによって瞬時に切換えられるから、厨房や医療関係の衛生設備の水回りにとっては節水上極めて有用である。
【００１５】
制御流路１bでの流量調整は把手６からその中心部のキャップ６eを外し、ビス６dを緩めて回転軸２から把手６を外し、次いでバルブ押さえ５のフランジ５cからビス５dを外して回転軸２及びケーシング４からバルブ押さえ５を取り外しケーシング４から弁体Ａを引き抜く。そして、大径制御流路（上方の制御流路１b）から六角棒レンチ（図外）を差し込み、調整ネジ３bcを緩めて制水盤３aを回し、蝶羽根３aa外に露出される通水孔３baの数を調整し、調整ネジ３bcを締結すれば簡単にその流量を調整できる。前記の逆の手順でケーシング４に弁体Ａが収められる。
【００１６】
以上のように、本発明の流量制御弁Ｂは図４に示すように組み立てられて提供され、入水口４dに螺着されるナット７に水栓の蛇口（図外）がパッキング７cを介して嵌着され、アダプター７dをフィルター７aとシールパッキング７bを介して締結し、通常吐水と制水駒３による流量調節吐水の切換えによって節水的に使用される。出水口４eに螺着される吐出金具８は、内部にパッキング８aを介して取着された網状の流速緩和体８bによって軟らかな泡沫状の水流を吐出させる。
なお、把手６は前記レバー６gのない断面楕円形状のものも提供される。
【産業上の利用可能性】
【００１７】
本発明の弁体や流量制御弁の主要部材は合成樹脂製の射出成形体で足りるから、製造上射出成形業界及び金型業界に貢献できる。水回りの使用現場では節水上極めて有用であることから、サービス業界での厨房や医療関係の衛生設備の面からその需要が大いに期待される。
【図面の簡単な説明】
【００１８】
【図１】本発明の弁体Ａの要部縦断面による説明図。
【図２】制水駒３の平面図。
【図３】本発明の流量制御弁Ｂの分解断面斜視図。
【図４】同上流量制御弁Ｂの組立縦断面図。
【図５】図４の右側面図。
【図６】図５のＡ−Ａ矢視断面図。
【図７】図６のＢ−Ｂ矢視断面図。
【符号の説明】
【００１９】
１：バルブ本体
１a：通常流路
１b：制御流路
１c：底壁外面
１d：座盤
１e：駒座
２：回転軸
２a：Ｏリング溝
２b：縮径部
２c：ネジ孔
２d：Ｏリング
３：制水駒
３a：制水盤
３aa：蝶羽根
３b：通水盤
３ba：通水孔
３bb：ネジ座
３bc：調整ネジ
４：ケーシング
４a：開口部
４b：閉塞壁
４c：軸受け部
４d：入水口
４e：出水口
４f：通水室
４g：フランジ
４h：突起
５：バブル押さえ
５a：嵌合孔
５b：軸部
５c：フランジ
５d：ビス
５e：Ｏリング溝
５f：Ｏリング
５g：溝
５h：ストッパー
６：把手
６a：軸部
６b：凹部
６c：ビス孔
６d：ビス
６e：キャップ
６f：突起
６g：レバー
７：ナット
７a：フィルター
７b：シールパッキング
７c：パッキング
７d：アダプター
８：吐出金具
８a：パッキング
８b：流速緩和体
Ａ：弁体
Ｂ：流量制御弁
【要約】
【課題】  通常吐水と制水駒による流量調節吐水とが瞬時に切換えられて使用される弁体と、該弁体を用いた流量制御弁を提供すること。
【解決手段】  弁体Ａは有底円筒体の水平中心軸に直交する一断面内に通常流路１aと制御流路１bが形成されるバルブ本体１と、バルブ本体１の底壁外面１cに突設される回転軸２と、制御流路１bの一方側に内設される制水駒３とから成り、流量制御弁Ｂは上部に入水口４dが配設され下部に出水口４eが配設される有底円筒状のケーシング４と、入水口４dと出水口４e間の通水室４fに挿通される弁体Ａと、弁体Ａの回転軸２に外嵌してケーシング４の内周面に嵌入されケーシング４のフランジ４gにそのフランジ５cがビス止めされるバルブ押さえ５と、回転軸２に係合されてバルブ本体１を回転しバルブ押さえ５に対して90°の回転角の回転端で位置決めされる把手６と、水栓の蛇口にケーシング４を接合するナット７と、泡沫状の水流を吐出する吐出金具８とから成る。
【選択図】  図４【図１】
0004189027.tif 000002
【図２】
0004189027.tif 000003
【図３】
0004189027.tif 000004
【図４】
0004189027.tif 000005
【図５】
0004189027.tif 000006
【図６】
0004189027.tif 000007
【図７】
0004189027.tif 000008